(57)【要約】【課題】小型化薄型化を図る上で、モータからの電磁気ノイズがヘッドに飛び込んだり、モータの巻線コイルの端線処理が困難になり、小型化薄型化の妨げになる。【解決手段】複数相からなる巻線コイルを一部巻回しない領域を設けて、この巻回しない領域に可動ヘッドを入り込ませるように構成し、またこの巻回しない領域で端線処理用のターミナルを設けた。【選択図】図７
2008293649.tif 000002
【特許請求の範囲】
【請求項１】
固定側に固定子巻線用鉄心を取り付け、回転側に磁石を取り付け、前記固定子巻線用鉄心に巻回した電機子コイルに回転側の回転位相に応じて通電して回転側が固定側に対して回転するスピンドルモータにおいて、
前記固定子巻線用鉄心は、電機子コイルが巻回された脚と、電機子コイルが巻回されないダミー脚とを有し、
前記電機子コイルは、複数の相を有し、
前記電機子コイルのうち、特定相を有する電機子コイルは、前記電機子コイルが巻回された脚に等ピッチ間隔で配列され、かつ、前記特定相を有する電機子コイルの個数は残りの電機子コイルの１相当たりの個数よりも多いことを特徴とする
スピンドルモータ。
【請求項２】
前記固定子巻線用鉄心は、３６０／（ｍ＋ｋ）度なるピッチ角度で、連続してｍ個の前記電機子コイルが巻回された複数の脚を有し、残りの区間に前記ダミー脚を有し、
前記ｋは１以上の整数、また、前記ｍは２以上の整数であり、かつ当該ｋの整数倍である特徴を有する
請求項１に記載のスピンドルモータ。
【請求項３】
前記複数相からなる電機子コイルの各相の総ターン数は同一であることを特徴とする
請求項１または請求項２に記載のスピンドルモータ。
【請求項４】
請求項１から請求項３のいずれか１項に記載のスピンドルモータによって回転駆動されるディスク状媒体と、
前記ダミー脚の部分で前記ディスク状媒体の径方向に移動可能に支持されディスク状媒体へアクセスする可動ヘッドと
を有するディスク状媒体装置。
【発明の詳細な説明】
【技術分野】
【０００１】
本発明は、ハードディスク装置、光磁気ディスク装置、光ディスク装置、フロッピーディスク装置などに使用されるスピンドルモータ、およびディスク状記録媒体を回転駆動するスピンドルモータを具備したディスク状媒体装置に関する。
【背景技術】
【０００２】
近年、ハードディスク装置、光磁気ディスク装置、光ディスク装置、フロッピーディスク装置などのディスク状媒体装置は、これを搭載する機器の小型化軽量化に伴い、特にディスク状媒体装置の薄型化と大容量化とコストダウンが強く要望されている。
【０００３】
以下、従来のディスク状媒体装置及びそのスピンドルモータについて、図１１〜図１４を参照して具体的に説明する。なお、以下の説明ではハードディスク装置を例示して説明する。
【０００４】
図１１と図１２は従来のハードディスク装置を示す。
シャーシ２上には軸一体型玉軸受３を圧入してある。この軸一体型玉軸受３にはディスク６を載置するハブ４が接着固定されている。ここでディスク６はディスククランパ５をハブ４に圧入することにより固着されている。ハブ４には磁性材料製のバックヨーク１０が接着されている。バックヨーク１０には回転磁石１１が固着されている。この回転磁石１１の内周円筒面には偶数極の磁極が等ピッチで着磁されている。この例においては１６極もしくは８極に着磁してある。
【０００５】
一方、この回転磁石１１の内周部側には磁性材料製の固定子巻線用鉄心１２が配設してあり、ここには複数相からなる電機子コイル１３が巻回されている。この例において電機子コイル１３は３相よりなり、計１２個配設されている。
【０００６】
さらに、ディスク６に対向して記録再生用の可動ヘッド７が設けられている。この可動ヘッド７は薄いステンレス板製であるサスペンション８を介してヘッドアーム９に固定されている。
【０００７】
ヘッドアーム９は前記シャーシ２に固定された軸１８を中心に所定角度だけ回動するようにボイスコイルモータなどのアクチュエータ（図示せず）により駆動される。
図１３と図１４は別の従来例を示す。なお、図１１，図１２と説明が重複する点は説明を省略する。
【０００８】
この別の従来例は、図１１に示す構成とは異なり、回転磁石１１はその外周円筒面上に複数極の磁極を設けている。回転磁石１１の外周部側には固定子巻線用鉄心１２が配設され、その内周部側に電機子コイル１３が巻回されている。
【０００９】
何れの従来例の場合も、複数相よりなる電機子コイル１３に回転磁石１１の回転位相に応じて順次通電を行うと、回転磁石１１との間でフレミングの左手の法則に従うトルクが発生する。
【００１０】
これにより、回転磁石１１，バックヨーク１０，ハブ４，ディスク６，ディスククランパ５よりなる一体的構造物は回転を開始する。これにより可動ヘッド７とディスク６とは相対運動をするので、可動ヘッド７はディスク６上に情報信号を記録再生することが可能になる。
【特許文献１】特開平１−１８６１５５号公報
【特許文献２】特開平１−１８６１５５号公報
【特許文献３】実願平１−４２９４６号（実開平２−１３６４７４号）のマイクロフィルム
【特許文献４】特開平６−３１１６８４号公報
【特許文献５】特開平９−８４２９９号公報
【発明の開示】
【発明が解決しようとする課題】
【００１１】
このような従来のディスク状媒体装置では、電機子コイル１３で電流切換時に発生する電磁気ノイズが可動ヘッド７に飛来するのを防ぐために、図１１に示すように回転磁石１１を固着するバックヨーク１０は断面Ｌ字型カップ形状をなす必要があり、装置の重量を抑制することが困難であった。
【００１２】
また、このバックヨーク１０の材質としては、電磁気ノイズを抑制するためにパーマロイなど高価な材料を使用する必要があり、コストアップの要因となっていた。
また、図１３に示す構成では、電機子コイル１３で電流切換時に発生する電磁気ノイズが可動ヘッド７に飛来するのを防ぐために、可動ヘッド７と電機子コイル１３との隙間を数ｍｍ程度とる必要があり、装置の小型化を図る上での制約となっていた。また装置を小型化する要望にも関わらず可動ヘッド７と電機子コイル１３との隙間を数ｍｍ程度確保する必要があるので、ディスク状媒体の片面側にしか可動ヘッド７を配置することができず、装置の容量を増大することが困難である。
【００１３】
またスピンドルモータ部の小型薄型化を図ると、それに応じて固定子巻線用鉄心１２も小さくなるために、電機子コイル１３の始終端線処理用の端子部を設けることがきわめて困難になり、その結果、始終端線１９はバラバラの状態でシャーシ下端の配線用基板２０まで手作業で引き回して半田付け部１６に接続する必要があり、組立作業性が極めて悪い。
【００１４】
この発明は、上記のような問題点を解決するためになされたものであり、たとえ電機子コイルで電磁気ノイズが発生しても、記録再生用可動ヘッドへ飛来するレベルを抑制することができるスピンドルモータを提供することを目的とする。
【００１５】
また、このスピンドルモータを具備して装置の小型化薄型化と共に、コストダウン、良好な記録再生を可能とするディスク状媒体装置を提供することを目的とする。
【課題を解決するための手段】
【００１６】
本発明のスピンドルモータは、固定子巻線用鉄心に電機子コイルが巻回された脚と電機子コイルが巻回されないダミー脚とを形成し、前記ダミー脚の部分に電機子コイルの始終端の処理用端子部を形成したことを特徴とする。
【００１７】
この構成によると、電機子コイルの始終端線処理用の組立作業性が良好である。
また本発明のディスク状媒体装置は、スピンドルモータを固定子巻線用鉄心には電機子コイルが巻回された脚と電機子コイルが巻回されないダミー脚とを形成し、可動ヘッドが前記ダミー脚の部分でディスク状媒体の径方向に移動可能に支持したことを特徴とする。
【００１８】
本発明の請求項１記載のスピンドルモータは、固定側に固定子巻線用鉄心を取り付け、回転側に磁石を取り付け、前記固定子巻線用鉄心に巻回した電機子コイルに回転側の回転位相に応じて通電して回転側が固定側に対して回転するスピンドルモータにおいて、前記固定子巻線用鉄心は、電機子コイルが巻回された脚と、電機子コイルが巻回されないダミー脚とを有し、前記電機子コイルは、複数の相を有し、前記電機子コイルのうち、特定相を有する電機子コイルは、前記電機子コイルが巻回された脚に等ピッチ間隔で配列され、かつ、前記特定相を有する電機子コイルの個数は残りの電機子コイルの１相当たりの個数よりも多いことを特徴とする。
【００１９】
本発明の請求項２記載のスピンドルモータは、請求項１において、前記固定子巻線用鉄心は、３６０／（ｍ＋ｋ）度なるピッチ角度で、連続してｍ個の前記電機子コイルが巻回された複数の脚を有し、残りの区間に前記ダミー脚を有し、前記ｋは１以上の整数、また、前記ｍは２以上の整数であり、かつ当該ｋの整数倍であることを特徴とする。
【００２０】
本発明の請求項３記載のスピンドルモータは、請求項１または請求項２において、前記複数相からなる電機子コイルの各相の総ターン数は同一であることを特徴とする。
本発明の請求項４記載のディスク状媒体装置は、請求項１から請求項３のいずれか１項に記載のスピンドルモータによって回転駆動されるディスク状媒体と、前記ダミー脚の部分で前記ディスク状媒体の径方向に移動可能に支持されディスク状媒体へアクセスする可動ヘッドとを有することを特徴とする。
【発明の効果】
【００２１】
この構成によると、録再生用の可動ヘッドへ飛来するレベルを抑制することができる。
【発明を実施するための最良の形態】
【００２２】
以下、本発明のスピンドルモータおよびこれを搭載したディスク状媒体装置の好ましい各実施の形態について、図面を参照しながら説明する。なお以下の説明では、従来例との比較を容易なものとするために、ハードディスク装置を例示して説明する。
【００２３】
〔実施の形態１〕
図１と図２は本発明の〔実施の形態１〕を示す。
シャーシ２上には軸一体型玉軸受３を圧入してある。この軸一体型玉軸受３にはディスク６を載置するハブ４が接着固定されている。ディスク６はディスククランパ５をハブ４に圧入することにより固着されている。ハブ４には磁性材料製のバックヨーク１０が接着されている。
【００２４】
このバックヨーク１０には回転磁石１１が固着されている。この回転磁石１１の内周円筒面には偶数極の磁極が等ピッチで着磁されている。この例においては１６極もしくは８極に着磁してある。
【００２５】
一方、この回転磁石１１の内周部側には磁性材料製の固定子巻線用鉄心１２が配設してあり、ここには複数相からなる電機子コイル１３が巻回されている。固定子巻線用鉄心１２には、巻線が施される１０個の脚１２１〜１２１０が３０度間隔で形成され、脚１２１と脚１２１０の間には巻線が施されないダミー脚１００が設けられている。この例において電機子コイル１３は３相よりなり、この３相の内の２相については電機子コイル１３は各３個設けられており、残りの１相は４個設けられている。
【００２６】
更に詳しくは、第１相の信号は脚１２１と脚１２４と脚１２７および脚１２１０に供給され、第２相の信号は脚１２２と脚１２５と脚１２８に供給され、第３相の信号は脚１２３と脚１２６と脚１２９に供給される。ただし、各相毎の電機子コイル１３の総ターン数は同一になるようにしてある。
【００２７】
ダミー脚１００には、端子ピン１５を圧入した始終端処理ターミナル１４が４個配設されており、電機子コイル１３の各始終端はこの端子ピン１５に半田付けされるが、これは電機子コイル１３を巻回する自動機によって始終端を端子ピン１５に巻き付け、その後に半田浴槽などにディップすることなどで行われる。したがって、従来例のように始終端を手作業で半田付けを行う必要がないので、作業性が著しく向上しコストダウンが可能になる。
【００２８】
端子ピン１５は図１に示すように配線用基板１７の半田付け部１６に半田付けされて電機子コイル１３に信号を供給する。
ディスク６に対向して可動ヘッド７が設けられている。この可動ヘッド７は薄いステンレス板製であるサスペンション８を介してヘッドアーム９に固定されている。ヘッドアーム９は前記シャーシ２に固定された軸１８を中心に所定角度だけ回動するようにボイスコイルモータなどのアクチュエータ（図示せず）により駆動される。
【００２９】
ここで、ヘッドアーム９ならびに可動ヘッド７は、ダミー脚１００における始終端処理ターミナル１４の近傍を可動ヘッド７が通過するように配設されている。
このように構成したため、スピンドルモータの複数相よりなる電機子コイル１３に回転磁石１１の回転位相に応じて順次通電を行うと、回転磁石１１との間でフレミングの左手の法則に従うトルクが発生する。これにより、回転磁石１１，バックヨーク１０，ハブ４，ディスク６，ディスククランパ５よりなる一体的構造物は回転を開始する。
【００３０】
モータが回転することにより、可動ヘッド７とディスク６とは相対運動をするので、可動ヘッド７はディスク６上に情報信号を記録再生することが可能になる。
ここで、電機子コイル１３に順次通電の切り換えを行うと切換時に電磁気ノイズが発生するが、この〔実施の形態１〕においては可動ヘッド７の近傍に電機子コイル１３が配設されていないので、電磁気ノイズが可動ヘッド７に影響を及ぼすことはない。従って、記録再生にあたって信号にノイズが重畳しないので、高密度記録を行うことが可能になる。
【００３１】
一般にハードディスクなどのモータの回転速度検出は、特定の１相の電機子コイル１３で生ずる逆起電力波形の中立電位とのゼロクロス点周期を検出することで行われるが、この〔実施の形態１〕においては、特定相の電機子コイル１３を４個、９０度ずつ等ピッチ間隔で配設していることになるので、平均化効果により回転速度の検出精度を高く保つことが可能になる。従って速度検出の精度が高くなることにより起動時などの位相引き込みが早く行われ、電源ON後の機器動作状態までの移行が短時間で行うことが可能になる。
【００３２】
〔実施の形態２〕
図３は本発明の〔実施の形態２〕を示し、〔実施の形態１〕とは固定子巻線用鉄心１２の形状とこれに巻き付けられた電機子コイル１３の巻線の数が異なっているだけでその他は同一である。
【００３３】
この図３では固定子巻線用鉄心１２には、巻線が施される９個の脚１２１〜１２９が３０度間隔で形成され、脚１２１と脚１２９の間には巻線が施されないダミー脚１０１が設けられている。すなわち３相ともに、各電機子コイル１３は各３個配設しており、またそれぞれ同一のターン数になるようにしている。そして固定子巻線用鉄心１２上で電機子コイル１３を配設しない部分には始終端処理ターミナル１４を設けている。
【００３４】
このように構成したため、〔実施の形態１〕と同様に、電機子コイル１３の始終端は固定子巻線用鉄心１２に配設した始終端処理ターミナル１４上の端子ピン１５に半田付けされているので、作業性を著しく向上することが可能になり、コストダウンが可能になる。
【００３５】
また、電機子コイル１３に順次通電の切り換えを行うと切換時に電磁気ノイズが発生するが、可動ヘッド７の近傍に電機子コイル１３が配設されていないので、電磁気ノイズが可動ヘッド７に影響を及ぼすことはない。従って、記録再生にあたって信号にノイズが重畳しないので、高密度記録を行うことが可能になる。
【００３６】
〔実施の形態３〕
図４と図５は本発明の〔実施の形態３〕を示す。
シャーシ２上には軸２１を圧入してある。この軸２１とは所定の空隙部に潤滑剤（図示せず）を介してハブ４及びスラストプレート２２が回転自在に嵌装されている。またハブ４にはディスク６が載置される。ここでディスク６はディスククランパ５をハブ４に圧入することにより固着されている。
【００３７】
ハブ４には磁性材料製のバックヨーク１０が接着されている。このバックヨーク１０には回転磁石１１が固着されている。この回転磁石１１の内周円筒面には偶数極の磁極が等ピッチで着磁されている。この例においては１６極もしくは８極に着磁してある。
【００３８】
一方、この回転磁石１１の内周部側には磁性材料製の固定子巻線用鉄心１２が配設してあり、ここには複数相（この例において電機子コイル１３は３相）からなる電機子コイル１３が巻回されている。
【００３９】
固定子巻線用鉄心１２には、３０度間隔で１２個の脚１２１〜１２１２が形成されており、脚１２１〜１２９には電機子コイル１３が巻回されている。脚１２１０〜１２１２には電機子コイル１３は巻回されていない。この例において電機子コイル１３は３相ともに同一のターン数になるようにしている。
【００４０】
ディスク６に対向配置して可動ヘッド７が設けられている。この可動ヘッド７は薄いステンレス板製であるサスペンション８を介してヘッドアーム９に固定されている。ヘッドアーム９は前記シャーシ２に固定された軸１８を中心に所定角度だけ回動するようにボイスコイルモータなどのアクチュエータ（図示せず）により駆動される。
【００４１】
ここで、ヘッドアーム９ならびに可動ヘッド７は、脚１２１０〜１２１２の近傍を可動ヘッド７が通過するように配設されている。
このように構成したため、複数相よりなる電機子コイル１３に回転磁石１１の回転位相に応じて順次通電を行うと、一体的構造物は回転を開始する。これにより可動ヘッド７とディスク６とは相対運動をするので、可動ヘッド７はディスク６上に情報信号を記録再生することが可能になる。
【００４２】
ここで、電機子コイル１３に順次通電の切り換えを行うと切換時に電磁気ノイズが発生するが、可動ヘッド７の近傍に電機子コイル１３が配設されていないので、電磁気ノイズが可動ヘッド７に影響を及ぼすことはない。従って、記録再生にあたって信号にノイズが重畳しないので、高密度記録を行うことが可能になる。
【００４３】
また従来例のように、電機子コイル１３からの電磁気ノイズを遮蔽するためにバックヨーク１０を断面Ｌ字形状にする必要がないので、モータの薄型化が可能になる。
〔実施の形態４〕
図６と図７は本発明の〔実施の形態４〕を示す。
【００４４】
図６において、シャーシ２上には軸一体型玉軸受３を圧入してある。この軸一体型玉軸受３にはディスク６を載置するハブ４が接着固定されている。ここでディスク６はディスククランパ５をハブ４に圧入することにより固着されている。
【００４５】
またハブ４には磁性材料製のバックヨーク１０が接着されている。このバックヨーク１０には回転磁石１１が固着されている。この回転磁石１１の外周円筒面には偶数極の磁極が等ピッチで着磁されている。この例においては１６極もしくは８極に着磁してある。
【００４６】
一方、この回転磁石１１の外内周部側には磁性材料製の固定子巻線用鉄心１２が配設してあり、ここには複数相からなる電機子コイル１３が巻回されている。固定子巻線用鉄心１２には、巻線が施される１０個の脚１２１〜１２１０が３０度間隔で形成され、脚１２１と脚１２１０の間には巻線が施されないダミー脚１０２が設けられている。この例において電機子コイル１３は３相よりなり、この３相の内の２相については電機子コイル１３は各３個設けられており、残りの１相は４個設けられている。
【００４７】
更に詳しくは、第１相の信号は脚１２１と脚１２４と脚１２７および脚１２１０に供給され、第２相の信号は脚１２２と脚１２５と脚１２８に供給され、第３相の信号は脚１２３と脚１２６と脚１２９に供給される。ただし、各相毎の電機子コイル１３の総ターン数は同一になるようにしてある。
【００４８】
ダミー脚１０２には、端子ピン１５を圧入した始終端処理ターミナル１４が４個配設されており、電機子コイル１３の各始終端はこの端子ピン１５に半田付けされるが、これは電機子コイル１３を巻回する自動機によって始終端を端子ピン１５に巻き付け、その後に半田浴槽などにディップすることなどで行われる。したがって、従来例のように始終端を手作業で半田付けを行う必要がないので、作業性が著しく向上しコストダウンが可能になる。
【００４９】
端子ピン１５は図６に示すように配線用基板１７の半田付け部１６に半田付けされて電機子コイル１３に信号を供給する。
ディスク６に対向して可動ヘッド７が設けられている。この可動ヘッド７は薄いステンレス板製であるサスペンション８を介してヘッドアーム９に固定されている。ヘッドアーム９は前記シャーシ２に固定された軸１８を中心に所定角度だけ回動するようにボイスコイルモータなどのアクチュエータ（図示せず）により駆動される。
【００５０】
ここで、ヘッドアーム９ならびに可動ヘッド７は、ダミー脚１０２における始終端処理ターミナル１４の近傍を可動ヘッド７が通過するように配設されている。
このように構成したため、複数相よりなる電機子コイル１３に回転磁石１１の回転位相に応じて順次通電を行うと、回転磁石１１との間でフレミングの左手の法則に従うトルクが発生する。これにより、回転磁石１１，バックヨーク１０、ハブ４，ディスク６，ディスククランパ５よりなる一体的構造物は回転を開始する。
【００５１】
電機子コイル１３の始終端は固定子巻線用鉄心１２上に配設した始終端処理ターミナル１４上の端子ピン１５に半田付けされるが、これは電機子コイル１３を巻回する自動機によって始終端を端子ピン１５に巻き付け、その後半田浴槽などにディップすることなどで行われる。したがって従来例のように始終端を手作業で半田付けを行う必要がないので、作業性が著しく向上することが可能になり、コストダウンが可能になる。
【００５２】
モータが回転することにより、可動ヘッド７とディスク６とは相対運動をするので、可動ヘッド７はディスク６上に情報信号を記録再生することが可能になる。
ここで、電機子コイル１３に順次通電の切り換えを行うと切換時に電磁気ノイズが発生するが、可動ヘッド７近傍に電機子コイル１３が配設されていないので、電磁気ノイズが可動ヘッド７に影響を及ぼすことはない。従って、記録再生にあたって信号にノイズが重畳しないので、高密度記録を行うことが可能になる。
【００５３】
また一般にハードディスクなどのモータの回転速度検出は特定の１相の電機子コイル１３で生ずる逆起電力波形の中立電位との０クロス点周期を検出することで行われるが、特定相の電機子コイル１３を４個、９０度ずつ等ピッチ間隔で配設していることになるので、平均化効果により回転速度検出精度は高く保つことが可能になる。従って速度検出精度が高くなることにより起動時などの位相引き込みが早く行われ、電源ON後の機器動作状態までの移行が短時間で行うことが可能になる。
【００５４】
さらに、固定子巻線用鉄心１２は回転磁石１１の外周側に存在しているので、バックヨーク１０とヘッドアーム９との間に機械的な干渉が発生しないので、機器そのものの厚みを薄くすることが可能になる。
【００５５】
〔実施の形態５〕
図８は本発明の〔実施の形態５〕を示し、〔実施の形態４〕とは固定子巻線用鉄心１２の形状とこれに巻き付けられた電機子コイル１３の巻線の数が異なっている。
【００５６】
この図８では固定子巻線用鉄心１２には、巻線が施される９個の脚１２１〜１２９が３０度間隔で形成され、脚１２１と脚１２９の間には巻線が施されないダミー脚１０３が設けられている。すなわち３相ともに、各電機子コイル１３は各３個配設しており、またそれぞれ同一のターン数になるようにしている。そして固定子巻線用鉄心１２上で電機子コイル１３を配設しない部分には始終端処理ターミナル１４を設けている。
【００５７】
ヘッドアーム９ならびに可動ヘッド７は、ダミー脚１０３における始終端処理ターミナル１４の近傍を可動ヘッド７が通過するように配設されている。その他は〔実施の形態４〕と同一である。
【００５８】
このように構成したため、電機子コイル１３の始終端は固定子巻線用鉄心１２に配設した始終端処理ターミナル１４上の端子ピン１５に半田付けされているので、作業性を著しく向上することが可能になり、コストダウンが可能になる。
【００５９】
また、電機子コイル１３に順次通電の切り換えを行うと切換時に電磁気ノイズが発生するが、可動ヘッド７の近傍に電機子コイル１３が配設されていないので、電磁気ノイズが可動ヘッド７に影響を及ぼすことはない。従って、記録再生にあたって信号にノイズが重畳しないので、高密度記録を行うことが可能になる。
【００６０】
〔実施の形態６〕
図９と図１０は〔実施の形態６〕を示す。
図９において、シャーシ２上には軸２１を圧入してある。この軸２１とは所定の空隙部に潤滑剤（図示せず）を介してハブ４及びスラストプレート２２が回転自在に嵌装されている。またハブ４にはディスク６が載置される。ここでディスク６はディスククランパ５をハブ４に圧入することにより固着されている。またハブ４には磁性材料製のバックヨーク１０が接着されている。このバックヨーク１０には回転磁石１１が固着されている。この回転磁石１１の外周円筒面には偶数極の磁極が等ピッチで着磁されている。この例においては１６極もしくは８極に着磁してある。
【００６１】
一方、この回転磁石１１の外周部側には磁性材料製の固定子巻線用鉄心１２が配設してあり、ここには複数相（この例において電機子コイル１３は３相）からなる電機子コイル１３が巻回されている。
【００６２】
固定子巻線用鉄心１２には、３０度間隔で１２個の脚１２１〜１２１２が形成されており、脚１２１〜１２９には電機子コイル１３が巻回されている。脚１２１０〜１２１２には電機子コイル１３は巻回されていない。この例において電機子コイル１３は３相ともに同一のターン数になるようにしている。
【００６３】
ディスク６に対向配置して可動ヘッド７が設けられている。この可動ヘッド７は薄いステンレス板製であるサスペンション８を介してヘッドアーム９に固定されている。ヘッドアーム９は前記シャーシ２に固定された軸１８を中心に所定角度だけ回動するようにボイスコイルモータなどのアクチュエータ（図示せず）により駆動される。
【００６４】
ここで、ヘッドアーム９ならびに可動ヘッド７は、脚１２１０〜１２１２の近傍を可動ヘッド７が通過するように配設されている。
このように構成したため、複数相よりなる電機子コイル１３に回転磁石１１の回転位相に応じて順次通電を行うと、一体的構造物は回転を開始する。これにより可動ヘッド７とディスク６とは相対運動をするので、可動ヘッド７はディスク６上に情報信号を記録再生することが可能になる。
【００６５】
ここで、電機子コイル１３に順次通電の切り換えを行うと切換時に電磁気ノイズが発生するが、可動ヘッド７近傍に電機子コイル１３が配設されていないので、電磁気ノイズが可動ヘッド７に影響を及ぼすことはない。従って、記録再生にあたって信号にノイズが重畳しないので、高密度記録を行うことが可能になる。
【００６６】
以上のように本発明のスピンドルモータは、固定子巻線用鉄心に電機子コイルが巻回された脚と電機子コイルが巻回されないダミー脚とを形成し、前記ダミー脚の部分に電機子コイルの始終端の処理用端子部を形成したため、電機子コイルの始終端線処理用の組立作業性が良好である。
【００６７】
また本発明のディスク状媒体装置は、スピンドルモータを固定子巻線用鉄心には電機子コイルが巻回された脚と電機子コイルが巻回されないダミー脚とを形成し、可動ヘッドが前記ダミー脚の部分でディスク状媒体の径方向に移動可能に支持したため、録再生用の可動ヘッドへ飛来するレベルを抑制することができ、高密度記録を行うことが可能になる。さらに、ディスク状媒体装置のスピンドルモータのダミー脚の部分に電機子コイルの始終端の処理用端子部を形成した場合には組立作業性も改善される。
【産業上の利用可能性】
【００６８】
ハードディスク装置、光磁気ディスク装置、光ディスク装置、フロッピーディスク装置などに使用されるスピンドルモータ、およびディスク状記録媒体を回転駆動するスピンドルモータに寄与できる。
【図面の簡単な説明】
【００６９】
【図１】本発明の〔実施の形態１〕であるディスク状媒体装置におけるスピンドルモータの断面図
【図２】図１に示したディスク状媒体装置の平面図
【図３】本発明の〔実施の形態２〕であるディスク状媒体装置におけるスピンドルモータの平面図
【図４】本発明の〔実施の形態３〕であるディスク状媒体装置におけるスピンドルモータの断面図
【図５】図４に示したディスク状媒体装置の平面図
【図６】本発明の〔実施の形態４〕であるディスク状媒体装置におけるスピンドルモータの断面図
【図７】図６に示したディスク状媒体装置の平面図
【図８】本発明の〔実施の形態５〕であるディスク状媒体装置におけるスピンドルモータの平面図
【図９】本発明の〔実施の形態６〕であるディスク状媒体装置におけるスピンドルモータの断面図
【図１０】図９に示したディスク状媒体装置の平面図
【図１１】従来のディスク状媒体装置におけるスピンドルモータの第１の構成を示す断面図
【図１２】図１１に示したディスク状媒体装置の構成を示す平面図
【図１３】従来のディスク状媒体装置におけるスピンドルモータの第２の構成を示す断面図
【図１４】図１３に示したディスク状媒体装置の平面図
【符号の説明】
【００７０】
１    カバー
２    シャーシ
３    軸一体型玉軸受
４    ハブ
５    ディスククランパ
６    ディスク
７    記録再生用可動ヘッド
８    サスペンション
９    ヘッドアーム
１０    バックヨーク
１１    回転磁石
１２    固定子巻線用鉄心
１２１〜１２１２    脚
１００，１０１，１０２，１０３    ダミー脚
１３    電機子コイル
１４    始終端処理ターミナル
１５    端子ピン
１６    半田付け部
１７    配線用基板
１８    回動中心点
１９    コイル始終端線
２０    配線用基板
２１    軸
２２    スラストプレート
【図１】
2008293649.tif 000003
【図２】
2008293649.tif 000004
【図３】
2008293649.tif 000005
【図４】
2008293649.tif 000006
【図５】
2008293649.tif 000007
【図６】
2008293649.tif 000008
【図７】
2008293649.tif 000009
【図８】
2008293649.tif 000010
【図９】
2008293649.tif 000011
【図１０】
2008293649.tif 000012
【図１１】
2008293649.tif 000013
【図１２】
2008293649.tif 000014
【図１３】
2008293649.tif 000015
【図１４】
2008293649.tif 000016